Podtech/llm-jp-corpus-v4-ja_patent huggingface dataset:
(57)【要約】【課題】  従来からのパンタグラフ用のすり板は、すり板の消耗が中央部で多く発生し、すり板両端の未使用部分の使用状況の改善が問題である。そこで本発明は、パンタグラフ用のすり板の全面使用ならびに全面が消耗するまで使用ができることを課題とする。【解決手段】  本発明のパンタグラフ用の円形すり板１は、取付金物３およびボルト４により、集電舟５に取付固定する。本発明のパンタグラフ用の円形すり板１においては、すり板の形状を円形にすることにより、すり板の位置を３６０度平面回動させるこが可能となるため、未使用部分の使用ならびに、すり板の全面が消耗するまで使用ができるため、課題の解決手段となる。【選択図】図１
2009207345.tif 000002
【特許請求の範囲】
【請求項１】
送電用架線に接触するパンタグラフ用のすり板において、すり板の形状を円形にすることにより、すり板の位置を３６０度平面回動させることが可能となり、すり板の全面が消耗するまで使用ができることを特徴とする、パンタグラフ用の円形すり板。
【発明の詳細な説明】
【発明の詳細な説明】
【技術分野】
【０００１】  本発明は、送電用架線に接触する電車のパンタグラフの集電舟に取り付けられる、パンタグラフ用の円形すり板に関するものである。
【背景技術】
【０００２】  従来からのパンタグラフ用のすり板は、すり板の消耗が中央部で多く発生し、すり板両端の未使用部分の使用ができないのが、従来からのパンタグラフ用のすり板の使用状況である。
【発明が解決しょうとする課題】
【０００３】  このような従来からのパンタグラフ用のすり板は、消耗が中央部で多く発生し、すり板両端の未使用部分の使用状況の改善が問題である。
そこで本発明は、パンタグラフ用のすり板の全面が消耗するまで使用ができることを課題とする。
【課題を解決するための手段】
【０００４】  上記課題を解決するために、請求項１記載のパンタグラフ用のすり板において、すり板の形状を円形にすることにより、すり板の位置を３６０度平面回動させることが可能となり、すり板の全面が消耗するまで使用ができることを特徴とする、パンタグラフ用の円形すり板は、未使用部分の使用が可能となり、すり板の全面が消耗するまで使用ができるため、課題の解決手段となる。
【発明を実施するための最良の形態】
【０００５】  以下、本発明の実施の形態を、図面に基づいて説明する。【０００６】  図１および図４は実施形態を示す。この図は、電車線６側から見たパンタグラフ用の円形すり板１の位置を、０度〜６０度まで平面回動させた実施形態の図１は平面図であり図４は側面図である。本発明のパンタグラフ用の円形すり板１は、全面が消耗するまで平面回動の使用ができるため、取り替え周期を延長することができる。【０００７】  このパンタグラフ用の円形すり板１は円形であるため、集電舟５の接触面は円形で構成されている。【０００８】  図２および図５は電車前方から見た実施形態を示す。このパンタグラフ用の円形すり板１が集電舟５に取り付けられて、電車線６と接触した実施形態の正面図である。【０００９】  図３および図６は、このパンタグラフ用の円形すり板１を、集電舟５に取付金物とボルトにより取付固定した、実施形態の断面図である。
【発明の効果】
【００１０】  本発明は以上に説明したような構成により次のような効果を奏する。
従来からのパンタグラフ用のすり板は、すり板の消耗が中央部で多く発生し、すり板両端の未使用部分の使用が出来ないのが、従来からのパンタグラフ用すり板の使用状況である。
請求項１に記載されている発明は、パンタグラフ用のすり板の形状を円形にすることにより、すり板の消耗位置を３６０度平面回動させることが可能となる。また、すり板の全面使用ならびに全面が消耗するまで使用できるため、本発明のパンタグラフ用の円形すり板を使用することにより消耗効率の改善と、取り替え周期を大幅に延長することができる。
【図面の簡単な説明】
【図１】本発明のパンタグラフ用の円形すり板を、架空線集電方式による電車線上から見た平面図。
【図２】図１のパンタグラフ用の円形すり板を、電車前方より見た正面図。
【図３】本発明のパンタグラフ用の円形すり板を、架空線集電方式によるパンタグラフに取付金物とボルトにより取付固定した状態の円形すり板の断面図。
【図４】本発明のパンタグラフ用の円形すり板を、側方集電方式による電車線側から見た側面図。
【図５】図４のパンタグラフ用の円形すり板を、電車前方より見た正面図。
【図６】本発明のパンタグラフ用の円形すり板を、側方集電方式によるパンタグラフに取付金物とボルトにより取付固定した状態の円形すり板の断面図。
【符号の説明】
１パンタグラフ用の円形すり板
２電車線と接触した円形すり板の消耗痕跡
３取付金物
４ボルト
５集電舟
６電車線
【図１】
2009207345.tif 000003
【図２】
2009207345.tif 000004
【図３】
2009207345.tif 000005
【図４】
2009207345.tif 000006
【図５】
2009207345.tif 000007
【図６】
2009207345.tif 000008
(57)【要約】【課題】  水を葉緑体により、光合成させて水素と酸素を発生させる発生装置を提供する。【解決手段】  光を通す容器（１）の中に、水（２）と葉緑体（３）をいれ、その光合成能力により、水を水素と酸素の混合気体（４）に分解することを特徴とする。【選択図】図１
2009207475.tif 000002
【特許請求の範囲】
【請求項１】
光を通す容器（１）の中に、水（２）と葉緑体（３）をいれ、その光合成能力により、水を水素と酸素の混合気体（４）に分解する装置。
【発明の詳細な説明】
【発明の詳細な説明】
【技術分野】
【０００１】    この発明は、葉緑体を用いてその光合成により水を分解するものである。
【背景技術】
【０００２】    従来、水を水素と酸素に分解するためには、電気分解したり、特殊な触媒を必要とした。
【発明が解決しようとする課題】
【０００３】  これは次のような欠点があった。
（イ）電気分解用の複雑な装置が必要だった。
（ロ）高価な触媒を必要とした。
本発明はこれらの欠点を除くためになされたものである。
【課題を解決するための手段】
【０００４】  葉緑体（３）の入った光を通す容器（１）の中に、注水口（５）より水（２）をいれる。
その光合成能力により、水を水素と酸素の混合気体（４）に分解する。
その混合気体（４）を排気口（６）より回収する。
本発明は、以上のような構成よりなる水を分解し水素と酸素に分解する装置である。
【発明を実施するための最良の形態】
【０００５】    以下、本発明の実施の形態について説明する。
（イ）葉緑体（３）の入った光を通す容器（１）の中に、注水口（５）より水（２）をいれる。
（ロ）葉緑体（３）の光合成能力により、水を水素と酸素の混合気体（４）に分解する。
（ハ）その混合気体（４）を排気口（６）より回収する。
本発明は、以上のような構成で、これを使用するときには、この容器に太陽光線を当て、その光合成により水素と酸素に分解し、その混合気体を回収する。
【発明の効果】
【０００６】  植物から安価に抽出した葉緑体によって、太陽光線を用い直接、水を容易に酸素と水素の混合気体を得る。
【図面の簡単な説明】
【図１】  本発明の斜視図である。
【図２】  本発明の使用状態を表す説明図である。
【符号の説明】
（１）容器
（２）水
（３）葉緑体
（４）混合気体
（５）注水口
（６）排気口
【図１】
2009207475.tif 000003
【図２】
2009207475.tif 000004
(57)【要約】      （修正有）【課題】飼料に圧縮圧や擦れ、熱が生じないようにしながら短時間に効率よく平均に溶液、溶粉を撹拌結合させる飼料撹拌機を提供する。【解決手段】ドラムロックハンドル７で撹拌ドラム１を定位置でロックし、ドラム入れ口２より飼料を入れドラムロックハンドル７を解除させるとドラム回転制御スイッチセンサー８でドラム撹拌羽根軸ロッククラッチ１１が入り、主軸駆動装置１０を駆動させると撹拌ドラム１と羽根ドラム受け主軸４が一緒に回る事で飼料が羽根６にのる形で撹拌ドラム１と一緒に上に上がり落ちてくる。溶液高圧ポンプ１２で送られた溶液を溶液タイミング分配弁１３で噴霧角度間に合わせ高圧噴霧ノズル１５で噴霧させ、飼料と結合撹拌させ定量噴霧撹拌したところで、ドラム飼料出し口３より撹拌済飼料を出し、運搬物噛み込み防止付スクリューコンベアー２０で定量を送ることを特徴とする。【選択図】図１
2009207455.tif 000002
【特許請求の範囲】
【請求項１】
４．羽根、ドラム受け軸と１．撹拌ドラムを一緒に回したり別々に回したり一台の１１．ドラム、撹拌羽根軸ロッククラッチで出来、４．羽根ドラム受け主軸を一台の１０．主軸駆動装置で回すことが出来、又、その装置が一体となっていることを特徴とした物
【請求項２】
１６．飼料を入れた１．撹拌ドラムの中に１５．高圧噴霧ノズルを付け１３．溶液タイミング分配弁でＡ．噴霧角度だけ合せて、溶液を噴霧出来１６．飼料が羽根に乗りドラム回転と一緒に上まで上がり落ちてくる時に噴霧によって溶液を結合撹拌させる事が出来、又その装置が一体となっていることを特徴とする物
【発明の詳細な説明】
【技術分野】
【０００１】
加工してあるペレット状の飼料に薬や栄養剤、魚油植物油等を撹拌結合させる飼料撹拌機
【背景技術】
【０００２】
ホッパー状の固定ケースの中に羽根付軸を高回転で回し資料を撹拌しながら柄杓等で溶液を振り掛けている現状では撹拌効率が悪く羽根が資料の中を高速で通過させるためケースとの摩擦で熱や圧縮圧が生じ、崩れたり、薬や栄養剤、魚油、植物油等の変質が生じ捕食効率が置いたり、捕食した飼育生物に化学変化障害が起きていると思われる
【特許文献１】登録実用新案第３０３３０８４号広報
【発明の開示】
【発明が解決しようとする課題】
【０００３】
飼料に圧縮圧や擦れ、熱が生じないようにしながら短時間に効率よく平均に溶液、溶粉を撹拌結合させる必要がある
【課題を解決するための手段】
【０００４】
撹拌ドラムと羽根軸を一緒に回し飼料を羽根の上にのせる様に持ち上げ落とし、その間に噴霧状で飼料に吹付ける事が出来るような構造装置を一体とした手段により出来るのを特徴とする
【発明の効果】
【０００５】
前記一連の機能構造装置により飼料と薬や栄養剤魚油植物油等が圧縮圧やすれで崩れたり摩擦熱で変質する事なく短時間に撹拌出来、効率良く捕食させる事が出来る。
【発明を実施するための最良の形態】
【０００６】
１．撹拌ドラムの中に回る４．羽根ドラム受け主軸を組込みその主軸を１０．主軸駆動装置で回し１１．ドラム撹拌羽根軸ロッククラッチの入り切りで１．撹拌ドラムと４．羽根ドラム受け主軸をロックし同回転で回したり別々に回し各処理法に合わせ４．羽根ドラム受け主軸に付き一緒にまわる１５．高圧噴霧ノズル、回っている軸に溶液を送るため１４．溶液旋回接続管を付け噴霧角度を合わせるための１３．溶液タイミング分配弁、溶液を圧送するための１２．溶液高圧ポンプ、撹拌しながら回っているドラムを止めロックする７．ドラムロックハンドル、その動きで軸とのロックを解除し回転スピードを制御させる８．ドラム回転制御スイッチセンサー３．ドラム飼料出し口より飼料をドラムより取り出し送る量を調整する２０．運搬物噛み込み防止付スクリューコンベアーが一体となって付いているのを特徴とするドラム、羽根軸二重回転高圧噴霧撹拌機
【実施例】
【０００７】
７．ドラムロックハンドルで１．撹拌ドラムを定位置でロックし２．ドラム入れ口より１６．飼料を入れ７．ドラムロックハンドルを解除させると８．ドラム回転制御スイッチセンサーで１１．ドラム撹拌羽根軸ロッククラッチが入り１０．主軸駆動装置を駆動させると１．撹拌ドラムと４．羽根ドラム受け主軸が一緒に回る事で１６．飼料が羽根にのる形で１．撹拌ドラムと一緒に上に上がり落ちてくるところに１２．溶液高圧ポンプで送られた溶液を１３．溶液タイミング分配弁でA．噴霧角度間に合わせ溶液を１５．高圧噴霧ノズルで噴霧させ１６．飼料と結合撹拌させ定量噴霧撹拌したところで７．ドラムロックハンドルで１．撹拌ドラムをロックしたと同時に１１．ドラム、撹拌羽根軸ロッククラッチが切れ４．羽根ドラム受け主軸の回転スピードを不定回転まで同時に落とし３．ドラム飼料出し口より撹拌済飼料を出し２０．運搬物噛み込み防止付スクリューコンベアーで定量を送る事が出来、飼料にかかる摩擦くずれ熱圧縮圧を格段に下げ１６．飼料のくずれや変質を格段に少なくし撹拌効率を格段に良くできるのが特徴と言える。
【図面の簡単な説明】
【０００８】
【図１】撹拌機の実施方法を示した説明図である。
【符号の説明】
【０００９】
１    撹拌ドラム
２    ドラム飼料入れ口
３    ドラム飼料出し口
４    羽根ドラム受け主軸
５    ドラム受けベアリング
６    撹拌羽根
７    ドラムロックハンドル
８    ドラム回転制御スイッチセンサー
９    主軸受けベアリング
１０    主軸駆動装置
１１    ドラム撹拌羽根軸ロッククラッチ
１２    溶液高圧ポンプ
１３    溶液タイミング分配弁
１４    溶液旋回接続管
１５    高圧噴射ノズル
１６    飼料
１７    入れ口ホッパー
１８    送りスクリュー
１９    スクリュー駆動装置
２０    運搬物噛み込み圧縮防止スクリューコンベアー
Ａ    噴霧角度
【図１】
2009207455.tif 000003
(57)【要約】      （修正有）【課題】しめ機等にて活きじめした活魚から速やかに血液、神経を強制的かつ連続で確実に抜き取り生臭さを少なくし、鮮度を良く保つ処理方法を提供する。【解決手段】しめ機ユニット１で活きじめされたしめ活魚２を活魚リフトバケット３に入れ、活魚リフトユニット４で持ちあげ、挟みローラーユニット１０に巻き上げ込み、挟みローラー軸心６に巻いてある挟みローラークッション材７で均等に押さえ回し送りながら血液等を絞り出し、血液抜き活魚を処理済み活魚シュートで案内し、処理済み活魚ケースに入れ次の工程へ備える、を繰り返す。又神経まで抜く場合は、挟みローラーユニット１０をしめ活魚２の尾が出た所で一旦止め、尾切包丁１１で切り、神経抜き鋼棒又はエアーノズル１２で神経を抜き出す。【選択図】図１
2009207454.tif 000002
【特許請求の範囲】
【請求項１】
２．しめ活魚を４．活魚リフトユニットで挟み圧力を加え、回し送っている１０．挟みローラーユニットに尾側から入れ込み２．しめ活魚の尾から頭側に向け順番に１０．挟みローラーユニットで押さえ、回しチューブ容器をしぼり出すように２．しめ活魚の血液等をしぼり出す手段。
【請求項２】
６．挟みローラー軸心にロール状に弾力性のある部材スポンジゴム、シリコンゴム等材質又はエアーチューブ等を巻き、それを平行に設置し９．挟み圧力調整スプリングで押さえ、一定圧力を加え、平行にある挟みロール間に２．しめ活魚を減り込むような状況で回しながら血液を絞り送り出す手段。
【請求項３】
請求項１及び請求項２の手段を用いた活魚処理機械
【請求項４】
請求項１、及び請求項２の手法で血液等をしぼり出し加工した１３．血液及び神経抜き活魚製品。
【発明の詳細な説明】
【技術分野】
【０００１】
しめ機にて活じめした活魚から速やかに血液、神経を強制的かつ連続で確実に抜き取り生臭さを少なくし、鮮度を良く保つ処理方法を提供することを目的とする。
【背景技術】
【０００２】
活魚しめ機でしめ冷水に入れて血液を抜くか、しめ後ケースに立て、重引力で自然に落とし抜くしかなく確実性に欠け、時間が多く必要だった。
【特許文献１】特開２０００−２１０００８号公報
【特許文献２】特願２００７−０５３５５１号公報
【発明の開示】
【発明が解決しようとする課題】
【０００３】
活魚しめ機で処理した活魚は素早く血液抜きをしなければ血液が凝固するため重引力等で抜いていても確実にきれいに処理できないため、早く強制的に抜き取る必要がある。  
【課題を解決するための手段】
【０００４】
しめ活魚の刺し切った頭を下にし、尾側より巻き上げるように１０．挟みローラーユニットで挟み押さえ、チューブを絞り出すように巻き送りながら血液等を確実に連続に抜き出す手段。  
【発明の効果】
【０００５】
しめ活魚の血液、神経を強制的に効率よく連続かつ確実に早く大量に抜き取り処理をすることが出来る。
【発明を実施するための最良の形態】
【０００６】
２．しめ活魚を入れる３．活魚リフトバケット、それを持ち上げる４．活魚リフトユニット持ち上げられた２．しめ活魚を挟み巻き上げ血液などを絞り出す１０．挟みローラーユニット、絞り出した血液等を入れ溜める５．血液受け入れケース、又、神経を抜く場合使用する１１．尾切包丁１２．神経抜き鋼棒又はエアーノズル１０．挟みローラーユニットから巻き上げられ、一連の処理が済み出てきた１３．血液及び神経抜き活魚を送り案内する１４．処理済活魚ケースが付き血液等を絞り出す１０．挟みローラーユニットがついたのを特徴とする挟みローラー式しめ活魚血液神経強制抜き取り処理機。
【図面の簡単な説明】
【０００７】
【図１】しめ処理から脱血処理までの概要図
【図２】脱血処理後処理済み活魚ケースへ活魚を送るまでの概要図
【図３】活魚処理作業中における１０．挟みローラーユニットの断面図
【符号の説明】
【０００８】
１．しめ機ユニット
２．しめ活魚
３．活魚リフトバケット
４．活魚リフトユニット
５．血液受け入れケース
６．挟みローラー軸芯
７．挟みローラークッション材
８．ロール軸受
９．挟み圧調整スプリング
１０．挟みローラーユニット
１１．尾切り包丁
１２．神経抜き鋼棒又はエアーノズル
１３．血液及び神経抜き活魚
１４．処理済み活魚シュート
１５．処理済み活魚ケース
【図１】
2009207454.tif 000003
【図２】
2009207454.tif 000004
【図３】
2009207454.tif 000005
(57)【要約】【課題】      従来のワイルドライス粥はその調理に長時間を要する。ワイルドライスの浸漬に長い時間を必要とし、調理する場合でも炊飯器及びその他の調理器は不向きである。【解決手段】ワイルドライス同士を摩擦させることにより発する高熱を効率よく利用してそれを加圧、膨張固定化し、同時にそれをアルファー化させる。その工程を経て固形化されたワイルドライスの水分量は１５％以下になっているので水分を吸収しやすくなっている。その固形化されたワイルドライスを粗く粉砕すれば、お湯で約１０秒で、水又は冷たい牛乳でも２０秒で美味しいワイルドライス粥が食べられる。又、そのお粥に色々な具材を加えることにより栄養価の高いお粥が出来る。【特許請求の範囲】
【請求項１】
玄米、黒米、赤米等のワイルドライス同士を摩擦することにより高温に達する性質を利用して、加圧、膨張固形化させて水の吸収をよくし、熱湯、水、又は冷たい牛乳を加えて数秒でワイルドライス粥を作ること。
【発明の詳細な説明】
【技術分野】
【０００１】ワイルドライス粥は、その分量の数倍の水を加えて長時間浸漬して炊き上げる。その調理方法に関する技術。
【背景技術】
【０００２】      ワイルドライス同士を摩擦することにより発する高熱を効率よく利用してそれを加圧、膨張固形化し、同時にそれをアルファー化する。その水分量も１５％と低くなり、膨張と合わせて水分を吸収しやすくする。従って、温度に関係なく水分を加えれば数秒で固形状態から柔らかい液体状態になる。又、この膨張固形化したワイルドライスを粗く粉砕すれば、他の食材とも容易にミックスすることができるので、健康目的に合わせて多種なワイルドライス粥を作る技術。
【発明の開示】
【０００３】      長時間を必要とするワイルドライス粥の炊き方を、ワイルドライス同士の摩擦させることにより発生する高熱を利用して短時間で作る方法。
【発明が解決しようとする課題】
【０００４】      従来、ワイルドライス粥は、その分量の数倍の水を加えて長時間浸漬し、その後加熱して炊き上げる。ワイルドライスは栄養があり、健康にもよいのであるが消化吸収が悪く、病人食、離乳食、介護食には不向きであった。
【課題を解決するための手段】
【０００５】      ワイルドライス同士を摩擦させることにより得られる高熱を効率よく利用してそれを加圧、膨張固形化させることにより得られた物は、もとの体積の１０倍近くなり、水分量も１５％以下になり、水分を加えれば数秒で液体状態になる。この液体状態になったワイルドライスはお粥になり、病人食、離乳食、介護食、健康食としても最適なものとなる。
しかも、その工程を経たワイルドライスは完全殺菌されているので、常温での消費期限を５年以上にすることが出来る。
又、この工程を経たワイルドライスは膨張固形化しているので、それを粗く粉砕して更に水を吸収しやすくする。
この性質を利用して長時間掛かるワイルドライス粥の調理を、熱湯を加えれば約１０秒、水又は冷たいミルクでも約２０秒で美味しい粥が出来る。
【発明の効果】
【０００６】      本発明になるワイルドライスを摩擦することにより得られる高熱を効率よく利用してそれを加圧、膨張固形化させて作られた物を粗く粉砕したものは、下記の様に手を加えれば賞味期限が長い色々な美味しく健康的な美味しい粥ができる。
１．  この工程を経たワイルドライス粥に粉末の調味料や乾燥された野菜、豆類、海草、きのこ、肉、魚等を加えれば、理想的な健康食が出来る。
２．  このワイルドライス粥は上記の工程で完全殺菌されており、その消費期限が５年以上になるので防災食として利用することが出来る。
３．  このワイルドライス粥は赤ちゃんの離乳食として最適である。
４．  このワイルドライス粥は病人の食事に最適である。
５．  このワイルドライス粥に栄養バランスを考慮した具材を加えれば理想的なダイエット食事が作れる。
６．  賞味期限が長いので海外出張や長期間家を離れてレジャーを楽しむ場合、本発明になるワイルドライス粥を持参することができる。
７．  賞味期限が長いので、賞味期限の改ざんのような問題は起こらない。
８．  本発明なるワイルドライス粥の商品は常温で賞味期限が長いので日配の必要がなく
配送に余裕があるので流通コストの削減になる。
９．  常温で賞味期限が長いので、廃棄による損失が削減される。
【実施例】
【０００７】１．  このワイルドライス粥に好みのココア又はシナモンとドライミルクと砂糖を加えて容器に入れ、そこに熱湯又は水を注げば美味しく健康的なおやつになる。
２．  このワイルドライス粥に牛乳を注げば立派な朝食になる。
３．  このワイルドライス粥に乾燥野菜、海草類、きのこ類を加えたものはローカロリーの食事なので平成２０年４月から実施されるメタボ健診の義務化に対応できる。
４．  このワイルドライス粥に使用される食材をオーガニックにすることにより、安全で安心できる食事になる。
【産業上の利用可能性】
【０００８】      本発明になるワイルドライス粥は常温で５年以上の長期賞味期限が可能なので産業上利用価値がある
１．  災害時の非常食
５年分の備蓄が義務付けられている災害時の備蓄食品として最適である。
２．  メタボ健診
平成２０年４月より企業に義務付けられるメタボ健診対策にこのワイルドライス粥は最適である。その粥に野菜、豆類、海草、きのこ類を加えることにより最適のメタボ食事になる。
３．  このワイルドライス粥にはアレルギーを引き起こす要素がないので、広く健康食品として利用できる。
(57)【要約】【課題】  既存のネックレスであっても、容易かつ安価にずれ止め効果を付与することができるネックレス用ずれ止め具を提供することである。【解決手段】  シリコン樹脂製の半球状の本体（１２）を有し、本体の球側の面に、装着しようとするネックレスのチェーンを通すための直交方向に延びた溝（１４）が設けられていることを特徴とするネックレス用ずれ止め具（１０）が提供される。本体の溝の幅は、チェーンが外れにくいように、通されるチェーンの幅と同等か又はチェーンの幅よりも僅かに小さくなるように選定するのが好ましい。【選択図】  図１
2009207773.tif 000002
【特許請求の範囲】
【請求項１】
シリコン樹脂製の半球状の本体を有し、前記本体の球側の面に、装着しようとするネックレスのチェーンを通すための直交方向に延びた溝が設けられていることを特徴とするネックレス用ずれ止め具。
【発明の詳細な説明】
【技術分野】
【０００１】
本発明は一般に、ネックレス用ずれ止め具に関する。より詳細には、本発明は、ネックレスの装着時にネックレスがずれるのを防止するネックレス用ずれ止め具に関する。
【背景技術】
【０００２】
ネックレスは、チェーンを頸部に掛けることによって装着されるが、装着した後、徐々にずれてしまうという不都合がある。そのため、このような不都合を解消すべく、チェーンに予めずれ止め具が予め取り付けられたネックレスも提案されている。
【発明の開示】
【発明が解決しようとする課題】
【０００３】
しかしながら、上述のような解決策では、予めずれ止め具が取り付けられたネックレス以外のものは、依然として、装着時のずれの防止が容易ではないという不都合がある。
【０００４】
本発明は、このような現状に鑑みて開発されたものであって、既存のネックレスであっても、容易かつ安価にずれ止め効果を付与することができるネックレス用ずれ止め具を提供することを目的としている。
【課題を解決するための手段】
【０００５】
本願請求項１に記載のネックレス用ずれ止め具は、シリコン樹脂製の半球状の本体を有し、前記本体の球側の面に、装着しようとするネックレスのチェーンを通すための直交方向に延びた溝が設けられていることを特徴とするものである。
【発明の効果】
【０００６】
本発明のネックレス用ずれ止め具により、特別なずれ止め具を付けていない、既存のネックレスについても、ずれ止め効果を付与することができる。本発明のネックレス用ずれ止め具は、きわめて簡単な構造であるため、安価に製造することができるとともに、使用が容易であるという利点を有している。
【発明を実施するための最良の形態】
【０００７】
次に図面を参照して、本発明の好ましい実施の形態に係るネックレス用ずれ止め具について詳細に説明する。図１は、本発明の好ましい実施の形態に係るネックレス用ずれ止め具を示した斜視図である。図１において全体として参照符号１０で示される本発明の好ましい実施の形態に係るネックレス用ずれ止め具は、半球状の本体１２を有している。    
【０００８】
本体１２の球側の面には、図２（ａ）に最も良く示されるように、直交方向に延びた溝１４が設けられている。溝１４には、装着しようとするネックレスのチェーンが通される。溝１４の幅ｗは、チェーンが外れにくいように、通されるチェーンの幅と同等か又はチェーンの幅よりも僅かに小さくなるように選定するのが好ましい。
【０００９】
本体１２は、シリコン樹脂で形成されている。本体１２をシリコン樹脂で形成したのは、シリコン樹脂が適度の摩擦係数を有しているのでずれ止め具として好ましいこと、シリコン樹脂が皮膚に接触しても、かぶれたりアレルギー症状等を起こしたりしにくいからである。
【００１０】
本体１２を形成するシリコン樹脂は、使用時に目立ちにくいように、透明や肌色などの材料を用いるのが好ましい。
【００１１】
好ましくは、本体１２の直径は５ｍｍ〜８ｍｍ程度であり、溝１４の幅は１〜１．５ｍｍ程度である。
【００１２】
図４は、ネックレス用ずれ止め具１０が取り付けられたネックレスを装着した頸部を示した図である。ネックレス用ずれ止め具１０を使用する際には、ネックレスのチェーンの所定箇所（通常は、頸部の後側に位置する箇所）において本体１２の溝１４にチェーンを通し、本体１２の平面部が皮膚に接触するように装着する（図５（ａ）参照）。シリコン樹脂製の本体１２の平面部が皮膚に接触することにより生ずる摩擦力のため、或る程度の力が作用しても、チェーンがずれにくくなる。
【００１３】
本発明は、以上の発明の実施の形態に限定されることなく、特許請求の範囲に記載された発明の範囲内で、種々の変更が可能であり、それらも本発明の範囲内に包含されるものであることはいうまでもない。
【００１４】
たとえば、前記実施の形態では、本体１２は半球状のものとして示されているが、楕円球を半分に切断した半楕円球状の本体１２′を使用してもよい。この場合には、溝１４′を、楕円球の長径方向ではなく、楕円球の短径方向に延びるように設けるのが好ましい（図５（ｂ）参照）。これは、楕円球の長径方向に延びるように溝を設けると（図５（ｃ）参照）、チェーンの溝を通る部分が長くなるため、側面から見てチェーンに段差が生じ、見栄えがよくないからである。（図５（ｄ）参照）。
【図面の簡単な説明】
【００１５】
【図１】本発明の好ましい実施の形態に係るネックレス用ずれ止め具の斜視図である。
【図２】図２（ａ）は図１のネックレス用ずれ止め具の平面図、図２（ｂ）は図２（ａ）の線２ｂ−２ｂに沿って見た図、図２（ｃ）は図２（ａ）の線２ｃ−２ｃに沿って見た図である。
【図３】図１のネックレス用ずれ止め具の溝にネックレスのチェーンを通した状態を示した図である。
【図４】ネックレス用ずれ止め具が取り付けられたネックレスを装着した頸部を示した図である。
【図５】図５（ａ）は図１のネックレス用ずれ止め具が皮膚に接触している状態を示した図、図５（ｂ）は楕円球の短径方向に延びるように溝を設けた例を示した図、図５（ｃ）は楕円球の長径方向に延びるように溝を設けた例を示した図、図５（ｄ）は図５（ｃ）のネックレス用ずれ止め具が皮膚に接触している状態を示した図である。
【符号の説明】
【００１６】
１０  ネックレス用ずれ止め具
１２  本体
１４  溝
【図１】
2009207773.tif 000003
【図２】
2009207773.tif 000004
【図３】
2009207773.tif 000005
【図４】
2009207773.tif 000006
【図５】
2009207773.tif 000007
(57)【要約】      （修正有）【課題】スチール製折りたたみ椅子の開閉及び持ち運びに支障のないハンガー付きスチール製折りたたみ椅子の実現。【解決手段】スチール製折りたたみ椅子の背もたれ部上部に上下にスライドできる構造のハンガーで構成されるハンガー付きスチール製折りたたみ椅子。【選択図】図１
2009207776.tif 000002
【特許請求の範囲】
【請求項１】
スチール製折りたたみ椅子の背もたれ部上部に上下にスライドできる構造のハンガーで構成されるハンガー付きスチール製折りたたみ椅子。    
【発明の詳細な説明】
【技術分野】
【０００１】
本発明は、ハンガーを備えたスチール製折りたたみ椅子に関するものである。
【背景技術】
【０００２】
従来のスチール製折りたたみ椅子は、背もたれ部が低く上着を掛けると裾が床に着く状態であった。
【０００３】
この改善策として、椅子の背もたれ部を２重にして上部ハンガー部を上に引上げて高くすることで掛けた上着の裾が床に着かなくなる。
【特許文献１】特開２００６−１１００１３号公報
【特許文献２】特開２００６−８７５２８号公報
【特許文献３】登録実用新案第３００６４６８号
【発明の開示】
【発明が解決しようとする課題】
【０００４】
解決しようとする問題点は、背もたれ部に掛けた上着の裾が床に着くことが不愉快であり不衛生であった。
【０００５】
本発明は、このような従来の椅子が有していた問題を解決しようとするものであり、スライド式ハンガーでスチール製折りたたみ椅子を構成し、掛けた上着の裾が床に着かなくすることを目的とするものである。
【課題を解決するための手段】
【０００６】
本発明は、スチール製折りたたみ椅子の背もたれ部上部に上下にスライドできるハンガーを取付けたものである。
【０００７】
上下にスライドできる構造のハンガー支持部材はスチールに外付けして、任意な位置で固定できる構造のものである。
【０００８】
第２の取付け例は、左右一対のハンガー支持部材をスチール製折りたたみ椅子のスチールフレーム本体に取付け、フレーム本体を伸縮できる構造で任意な位置で固定できる構造のものである。
【発明の効果】
【０００９】
上述したように本発明のスチール製折りたたみ椅子は、背もたれ部上部のハンガーを上げ下げすることで任意の高さに固定でき、掛けた服の裾が床に着かなくなり衛生的である。
【発明を実施するための最良の形態】
【００１０】
スチール製折りたたみ椅子の開閉及び持ち運びに支障なく、掛けた服の裾が床に着かなくする目的の上下にスライドできる構造のハンガー付きスチール製折りたたみ椅子を実現した。
【実施例１】
【００１１】
図１は、本発明のハンガー本体（３）の支持部材（４）をスチールフレーム（２）に外付けしたハンガー付きスチール製折りたたみ椅子の斜視図、図２は、図１におけるＡ−Ａ線拡大断面図、図３は、図２におけるＢ−Ｂ線拡大断面図である。
【００１２】
本発明のハンガー本体（３）の取付けは、支持部材（４）の取付け部材（５）を取付け用ねじ（６）でスチールフレーム（２）に取付ける。
【００１３】
取付けたハンガー本体（３）の移動は、左右の固定金具（７）を緩めたり締めたりたりして上下にスライドして任意の位置でスチールフレーム（２）に固定する。
【実施例２】
【００１４】
図４は、本発明のハンガー本体（３）の左右一対の支持部材（４）をスチールフレーム（２）本体に取付けたハンガー付きスチール製折りたたみ椅子の斜視図である。
【００１５】
本発明のハンガー本体（３）の取付けは、支持部材（４）をスチールフレーム（２）本体に取付け、伸縮できる構造にする。
【００１６】
取付けたハンガー本体（３）の移動は、伸縮できる構造の支持部材（４）を上下にスライドして任意の位置で使用する。
【図面の簡単な説明】
【００１７】
【図１】本発明のハンガー本体の左右一対の支持部材をスチールフレームに外付けしたハンガー付きスチール製折りたたみ椅子の斜視図である。（実施例１）
【図２】図１におけるＡ−Ａ線拡大断面図である。
【図３】図２におけるＢ−Ｂ線拡大断面図である。
【図４】本発明のハンガー本体の左右一対の支持部材をスチールフレーム本体に取付けたハンガー付きスチール製折りたたみ椅子の斜視図である。（実施例２）
【符号の説明】
【００１８】
（１）背もたれ
（２）スチールフレーム
（３）ハンガー本体
（４）支持部材
（５）取付け部材
（６）取付け用ねじ
（７）固定金具
（８）取付け用ねじ穴
【図１】
2009207776.tif 000003
【図２】
2009207776.tif 000004
【図３】
2009207776.tif 000005
【図４】
2009207776.tif 000006
(57)【要約】      （修正有）【課題】爪切時に於いて爪割れや、爪先の痛みを防止する為に従来の爪切器刃部形状を左右方向の湾曲加え上下方向にも湾曲させた爪切器の提供。【解決手段】従来の爪切器の刃部１に上下方向にも湾曲部を加えた上下左右湾曲刃爪切器３を特徴とする。【選択図】図１
2009207855.tif 000002
【特許請求の範囲】
【請求項１】
爪切器の歯形（２）を縦（上下）方向にも湾曲させた爪切器である。
【発明の詳細な説明】
【技術分野】
【０００１】この発明は、従来爪切器の刃の湾曲部に縦方向にも湾曲をつけた爪切器に関するものである。
【背景技術】
【０００２】従来の爪切器の刃部は左右のみに湾曲している。
【発明の開示】
【発明が解決しようとする課題】
【０００３】爪は前後に湾曲している為、従来の爪切器は刃先に前後方向には弧をつけてあるが、爪自体は上下に湾曲しており従来爪切器では爪切時に爪の両端が持ち上がる形になり、痛み、又は爪割れ等が発生する。
本発明は、以上のような欠点を無くす為になされたものである。
【課題を解決する為の手段】
【０００４】従来の爪切器の刃部（１）に上下方向に湾曲させた（２）刃部である。
本発明は、以上の上下方向にも弧をつけた刃部の、上下左右湾曲刃爪切器である。
【発明の効果】
【０００５】爪の形と同形に刃先に弧をつけてある為、爪切指先の痛みが無く又爪が弱い人でも爪割れが発生しにくい。
【発明を実施する為の最良の形態】
【０００６】従来の爪切刃部湾曲部に、上下方向の湾曲を付け加える為、製造過程での加工を１，２増やす必要があり、多少コスト高になるとは思われるが刃形のみの形を変えてる事によってスムーズな爪切作業が可能である。
【図面の簡単な説明】
【０００７】
【図１】本発明を上から見た平面図である。（従来品と同様である）
【図２】発明品の刃部を前方から見た図である。
【図３】従来品の刃部を前方から見た図である。
【符号の説明】
【０００８】１    従来品爪切器の刃部
２    発明品爪切器の刃部
３    爪切器本体
【図１】
2009207855.tif 000003
【図２】
2009207855.tif 000004
【図３】
2009207855.tif 000005
(57)【要約】【課題】  乳児、乳幼児を寝かせたい時に、床においても親にだっこされている感覚で寝かせることができるように、クッションの両端をうずまき部にしたうずまきクッションを提供する。【解決手段】  クッション（１）の両端をうずまき部（２）にし、そのクッションをとぐろ状にできることを特徴とする。【選択図】図１
2009207857.tif 000002
【特許請求の範囲】
【請求項１】
クッション（１）の両端にうずまき部（２）の丸みを設け、とぐろ状に巻くことができるクッション。
【発明の詳細な説明】
【技術分野】
【０００１】  この発明は、クッションの両端をうずまき部にし、とぐろ状に巻いたり、巻かずにそのまま使用できるうずまきクッションに関するものである。
【背景技術】
【０００２】  従来、クッションは、棒状、ドーナツ型、波型などはあったが、両端をうずまき部にして、それをとぐろ状に巻いて使用できるものがなかった。
【発明の開示】
【発明が解決しようとする課題】
【０００３】  従来、妊娠後期に寝るときは大きなお腹を支えるためのクッションを、産後には、授乳用クッションや赤ちゃんを一時的に寝かせるための布団など、その用途により様々なクッションを買い揃える必要があった。
また、乳児・乳幼児をだっこしてから寝かせた場合に、座ぶとんやベット等に置くとすぐに起きてしまうことが多く、常にだっこやおんぶをしていなければならなかった。
だからといって、従来の棒状、ドーナツ型、波型のクッションでは対応できなかった。
そして、そのことで育児ストレスとなってしまう人がいた。
本発明は、以上のようなことをなくすためになされたものである。
【問題を解決するための手段】
【０００４】  クッション（１）の両端をうずまき部（２）を設ける。
本発明は、以上の構成からなるうずまきクッションである。
【発明の効果】
【０００５】  クッションの両端をうずまき部にすることで、とぐろ状に巻くことができ、その中心に、乳児・乳幼児を寝かせることにより、身体を包み込むようにできるため、安心して眠らせることができる。
とぐろ状にしなければ普通のクッションとしても、妊娠中の抱きまくらとしても使用できる。
【発明を実施するための最良の形態】
【０００６】  以下、本発明を実施するための最良の形態について説明する。
クッション（１）の両端に、うずまき部（２）を設ける。
うずまき部（２）をつけたクッション（１）をとぐろ状に丸める。
本発明は、以上のような構造である。
これを使用するときには、とぐろ状の中心の空間に身体を乗せて、身体全体を包み込むようにする。
とぐろ状にせず、通常のクッションや抱きまくらとしても使用できる。
【図面の簡単な説明】
【０００７】
【図１】  本発明の斜視図である。
【図２】  本発明の平面図である。
【符号の説明】
【０００８】  １  クッション
２  うずまき部
【図１】
2009207857.tif 000003
【図２】
2009207857.tif 000004
【図３】
2009207857.tif 000005
【図４】
2009207857.tif 000006
【手続補正書】
【提出日】平成20年5月27日(2008.5.27)
【手続補正２】
【補正対象書類名】明細書
【補正対象項目名】０００７
【補正方法】変更
【補正の内容】
【０００７】
【図１】参考斜視図
【図２】平面図
【図３】平面図（とぐろ状）
【図４】立面図（とぐろ状）
(57)【要約】【課題】  爪を短くする場合に刃物を使わず安全に仕上げまで一度に出来るようモーターにより鑢を高速で往復させ爪を削るものでハンディ型とし、さらに爪の削り粉の飛散防止の機能も持たせる。【解決手段】  図２に示すように電池３でモーター５を回転させそれを往復運動に変えて鑢９で爪を削る。  鑢９は爪の形状を整え易くするため三日月形で内側には丸溝を形成してあるため鑢９が爪から逸れ難くまた面取りも同時にできる。  さらに削った爪の粉はモーター５に付いているファン６で吸引しフィルター１３で濾過して爪粉室１２に蓄えられることを特徴とする。【選択図】図２
2009207853.tif 000002
【特許請求の範囲】
【請求項１】
モーターの回転を往復運動に変え、それにより鑢等を駆動し爪を削ることを特徴とした電気爪削り器。
【請求項２】
爪先を丸く削れるよう鑢等の部分は三日月形にし、さらに爪から鑢等が逸れ難くまた削ったところの面取りも同時に出来るよう丸溝を形成した請求項１記載の電気爪削り器。
【請求項３】
先端の鑢等の部分は荒削り用、仕上げ用および爪の大きさにより弧の大きなもの、小さなもの、また汚れ除去用ブラシに差し替え交換できることを特徴とする請求項１記載の電気爪削り器。
【発明の詳細な説明】
【技術分野】
【０００１】  本発明は電池でモーターを回転させその回転を往復運動に変えて鑢を動かし爪を削る爪切りおよび爪削り関するものである。
【背景技術】
【０００２】  従来、爪を切って調える場合は鋏やニッパー形爪切りあるいは食切り形の爪切りで切り、鑢掛けをしていた。【０００３】  電池モーターで円盤形の鑢や砥石を回転させその面で爪を削るものもある。
【特許文献１】  特許公開  平１０−２０１５２５  特許公開  平８−１２６５１７  特開  号広報
【非特許文献１】  実用新案公開  平６−７９４１３  登録実用新案第３０２２８３３
【発明の開示】
【発明が解決しようとする課題】
【０００４】  従来爪を短くする場合は爪切ってその後鑢掛けしていて２度手間であった。また子供やお年寄りは爪切りをうまく使えない人も多く場合によっては深爪になってしまったり怪我をすることもあった。【０００５】  モーターで円盤形の鑢や砥石を回転させて爪を削るものは爪先の丸みを出すことが難しくまた削り面の角をとるのにも手間を要していた。【０００６】  切った爪の飛散防止付のものもあるが完全ではなく、特に鑢掛け等での爪の粉は飛散しやすい。
【課題を解決するための手段】
【０００７】  モーターの回転を往復運動に変えその先端にある鑢等で爪を削る。【０００８】  鑢等は爪を円形に仕上げやすくするため三日月形にし、さらに鑢等が爪から逸れ難くまた一度に面取りもできるよう鑢面は丸溝形にする。【０００９】  鑢で削った爪の粉はファンで吸引し爪粉室に蓄える。空気はフィルターで濾過し排出する。
【発明の効果】
【００１０】  モーターで鑢を動かし削るため指先の力は殆ど要しない。【００１１】  鑢等は三日月形で溝もあり爪から逸れ難く従来の爪きりや鑢がけが困難な人も容易にできる。【００１２】  鋭利な刃物を使用していないため怪我をすることはなく深爪も発生しにくい。【００１３】  鑢等で削れた爪の粉はファンで吸引しフィルターで濾過するため飛散しない。また爪粉室に溜まった爪粉は適宜捨てることができる。
【発明を実施するための最良の形態】
【００１４】  以下、本発明の実施の形態を図面に基づき詳細に説明する。【００１５】  本発明の第１の実施の形態に係り、図１は全体の外観図、図２は全体の断面図、図３は鑢部の拡大図である。【００１６】  図１は外観図である。【００１７】  図２は断面図である。図で示すようにスイッチ４を入れると電池３によりモーター５が回転する。それをホイール７とコンロッド８で往復運動に変えて鑢９を駆動する。【００１８】  鑢９は三日月形でその内側には鑢面があり丸溝形になっている。コンロッド８には挿抜部１５があり鑢９を大きさの違うものやメッシュ度の違うもの、あるいはブラシ等に交換できる。【００１９】  削った爪の粉はファン６によりスリーブ２から吸引され、ダクト１０、逆流防止弁１１を通り爪粉室１２に入り蓄えられる。空気はフィルター１３で濾過され排出される。爪粉室１２に溜まった爪の粉は爪粉室蓋１４を開けて捨てる。
【実施例】
【００２０】  実施例は発明を実施するための最良の形態で示す。
【産業上の利用可能性】
【００２１】  本発明は木版、金属板、プラスティック板等の側面を曲線状に仕上げることに利用できる。
先端の鑢等の部分をブラシやゴム等に替えるとミニマッサージ器としても使用できる。また消しゴムを付ければ電動消しゴム器にもなる。
【図面の簡単な説明】
【図１】  本発明の全体の外観図である。
【図２】  図１の断面図である。
【図３】  図１の鑢部を拡大した側面図と平面図である。
【符号の説明】
【００２２】  １、本体            ２、スリーブ      ３、電池            ４、スイッチ
５、モーター        ６、ファン        ７、ホイール        ８、コンロッド
９、鑢            １０、ダクト      １１、逆流防止弁    １２、爪粉室
１３、フィルター    １４、爪粉室蓋    １５  挿抜部
【図１】
2009207853.tif 000003
【図２】
2009207853.tif 000004
【図３】
2009207853.tif 000005
(57)【要約】【課題】  外側に一カ所のポケットを有する冷却用ヘアーバンドの冷却範囲や形状などの問題を解決し、ファッション性も考慮することによって、外出時でも着用できるようにすること。【解決手段】  リブ編みのような伸縮性のある薄地素材を使用したヘアーバンドの内側に保冷シートを貼付けるポケット１を前後に設けることにより、この課題を解決する。【選択図】図１
2009207852.tif 000002
【特許請求の範囲】
【請求項１】
前後内側に頭部に向かって保冷シートを貼るポケットを設け、リブ編みのような伸縮性のある木綿など肌触りの良い薄地素材使用により頭部に密着する冷却用機能と共にファッション性も兼ね備えたヘアーバンド。
【発明の詳細な説明】
【技術分野】
【０００１】  本発明は、ヘアーバンドに関するものであり、ヘアーバンドの内側に工夫を加える事によって、保冷シートを収納できるようにしたものである。
【背景技術】
【０００２】  従来の冷却用ヘアーバンドは、保冷剤を入れるポケットが一カ所であり、冷却している状況が外側から推測できるような形状である。この例として、特許文献１に開示されているものや商品例１がある。
【特許文献１】  特開２００５−２１８８１１号公報
【商品例１】
『爽快やわらか雪枕ベルトタイプ』ダンロップホームプロダクツ
【発明の開示】
【発明が解決しようとする課題】
【０００３】  すなわち、従来のような形態ではポケットが外側に位置し、ファスナーやフタ、調節用具、保冷剤のかさばりなどの要因から、『頭部を冷やしている』という様子が判断しやすい形状になってしまう。このため、家庭など室内での着用には適するが、外出時の着用には不向きである。また、頭部一方向からの冷却にとどまるものである。
【課題を解決するための手段】
【０００４】  この課題を解決するため、当発明は、リブ編みのような伸縮性に富んだ薄地素材のヘアーバンドの内側の前後にポケット状のものをつくり、内側の布地一枚に、頭部に向かって保冷シートを貼るものである。
【発明の効果】
【０００５】  本発明により、前頭部と後頭部を同時に冷やすことが可能になり、ファスナーやフタ、調節用具などを使わず、保冷シートの使用によって極力かさばりを抑えるため、ヘアーバンドの形状を損なわないものとなる。よって、本発明の着用により、夏、室内での冷房使用の減少や、エアコンの温度設定の緩和につながる為、地球温暖化防止にも効果があると考えられる。また、かさばりが少ないため上からの帽子着用も可能で、炎天下での労働、スポーツ、レジャー時等戸外での熱中症対策になる。加えて、他の季節においても、保冷シートを入れなければ単なるヘアーバンドとして利用できる。
【発明を実施するための最良の形態】
【０００６】  図１は、ヘアーバンドの内側にポケットを設けたことを特徴とする。同図に示すように両サイドを縫い止めることで、ポケットになる部分を固定し、前後内部に保冷シートを収納できる。図２の断面図は、ポケットのしくみをわかりやすくするために加えた。ここに示すように、保冷シートはポケットの前後内側の布地一枚に、頭部側に向かって貼付けるものとする。これは、薄い布地を通して保冷シートを頭部に密着させ冷却効果を高めるためである。【０００７】  このヘアーバンドは、木綿など通気性に富んだ肌触りのよいものでリブ編みのような伸縮性に富んだ薄地素材を使用する。すなわち、内側少し下側にポケットを設け、フタやファスナーをつけなくても、伸縮性がある素材を使っているため、自然に頭部に密着しポケット口がふさがるしくみになっている。【０００８】  サイズは、紳士用、婦人用、子供用、それぞれのものを設定し、色設定も多様化する。よって、幅広い世代に対応することができる。
【産業上の利用可能性】
【０００９】  本発明に係るヘアーバンドは、工業的に量産することが可能であるため、産業上の利用可能性を有する。
【図面の簡単な説明】
【００１０】
【図１】  本発明に係るヘアーバンドの見取り図である。
【図２】  本発明に係るヘアーバンド内側からみた断面図である。
【図３】  本発明に係るヘアーバンドの着用図である。
【符号の説明】
【００１１】  １    ポケット口
２    両サイドの縫い止め部分
Ｈ    保冷シート
【図１】
2009207852.tif 000003
【図２】
2009207852.tif 000004
【図３】
2009207852.tif 000005
(57)【要約】【課題】食事の際、最後に皿の上に残ったソースやデザートを、音を立てることなく最後まできれいにすくい取り頂くことを目的に、シリコン製のスプーンを考えた。【解決手段】スプーンのすくい取る部分にシリコンを被せる。【選択図】図２
2009207856.tif 000002
【特許請求の範囲】
【請求項１】
スプーンのすくう部分が、シリコン製になっている。
【発明の詳細な説明】
【技術分野】
【０００１】食事をするとき、トロミのあるカレーやソース、又はアイスクリームやヨーグルト等のデザートを、スマートに、そして最後まで美しく食べることができる。
【背景技術】
【０００２】従来の成人用のスプーンは、ステンレス製、プラスチック製、竹製等の硬質素材でできている。
【発明の開示】
【発明が解決しようとする課題】
【０００３】ステンレス製等の堅質素材のスプーンでは、底に残ったソースをすくうために、何度も往復してこそげるが、思ったようにはすくえず、いつも残念な思いをしている。更に、その時の食器との接触音も、不快を与えているようで気を使う。現在は、レストラン等での食事の場合は、残ったソースをちぎったパンで、拭いながら食べている。
更に、ステンレス等の微妙な金属味が、繊細な味覚に不快感を与えている。
【課題を解決するための手段】
【０００４】すくい取る部分をシリコンにすることによって、器との密着部分が大きくなり、カーブにも柔軟に対応でき、数回なぞるだけで、ソースを残らず美しくすくい取ることができる。
【発明の効果】
【０００６】いつも皿に残ったソースがもったいないと思っていたが、美しく最後までソースを食べることができ、食後の達成感や満足感を得ることができる。特にデザートを食べる時、カチャカチャと音を立てることなくスマートに頂くことができる。
さらに、金属味を気にすることなく食事ができる。
【実施例１】
【０００７】ステンレス、プラスチック、木製等の堅いものを芯にして、すくい取る部分にシリコンをスプーン状に被せる。
【実施例２】
【０００８】デザートスプーン等小型の物は、全体をシリコンで被ってもよい。
【図面の簡単な説明】
【０００９】
【図１】本発明の正面図である。
【図２】本発明の断面図である。
【符号の説明】
【０００１０】１  ステンレス、プラスチック、木製等の芯。
２  シリコン
【図１】
2009207856.tif 000003
【図２】
2009207856.tif 000004